(57)【要約】【課題】  ディスクの破損により細かく割れた破片がケーシング外に飛び出ないようにすること。【解決手段】  トレイ３の上面前端に該トレイ３の前板部１８とほぼ平行し該前板部１８よりも若干高い遮蔽板２０がそのトレイ３のほぼ全幅にわたって一体突設され、トレイ３を後進ｂさせ遮蔽板２０がケーシング１のトレイ開口部１ａを通過した後に、トレイ３の各傾斜状乗り上げ面２３，２６をケーシング１側の各踏み台２１ａ，２１ｂに乗り上げさせてトレイ３をほぼ水平状態で持ち上げ、前記遮蔽板２０によりトレイ開口部１ａの上縁とトレイ３の前板部１８との間の隙間αを遮蔽するようにした。【選択図】        図５
2005317085.tif 000002
【特許請求の範囲】
【請求項１】
ケーシング内に合成樹脂からなる機構部品とトレイとが配置され、そ
の機構部品の両側板部に設けた受台に左右一対のガイド部材が突設され、前記トレイの下
面両側縁に形成した一対の略Ｕ字状ガイド溝をそれぞれ前記各ガイド部材に嵌合させるこ
とにより、該トレイが機構部品に前後進可能に配置され、機構部品内のトレイの下方にド
ライブシャーシが上下動可能に配置され、該ドライブシャーシにターンテーブルと光ピッ
クアップとが配置されており、ケーシングのトレイ開口部を通って前進させたトレイ上に
ディスクを載置した後、該トレイを後進させて機構部品内に収納し、ドライブシャーシを
上動させてターンテーブルによりディスクを持ち上げ、該ターンテーブルにより高速回転
させたディスクに記録されている情報を光ピックアップで読み取るようにしたディスクド
ライブにおいて、トレイの上面前端に該トレイの前板部とほぼ平行し該前板部よりも若干
高い遮蔽板がそのトレイのほぼ全幅にわたって一体突設され、トレイを後進させ遮蔽板が
トレイ開口部を通過した後に該トレイを持ち上げるトレイ持ち上げ機構が設けられ、該ト
レイ持ち上げ機構が、前記受台の前後両端に一体突設されて各ガイド部材を間に挟んで対
向する前後４つの踏み台を有し、その各後側踏み台の高さがガイド部材の高さよりも大き
く設定され、該各後側踏み台に対向して前記各ガイド溝の底面後端角部を後進側に向かっ
て斜め上向きに削除して傾斜状乗り上げ面が形成され、前記各前側踏み台の高さがガイド
部材の高さよりも小さく設定されると共に、該各前側踏み台に対向して各ガイド溝の底面
前端に脚部が一体突設され、その各脚部の後端部を後進側に向かって斜め上向きに削除し
て傾斜状乗り上げ面が形成され、前記各踏み台の前端面をそれに対向する傾斜状乗り上げ
面とほぼ平行に傾斜させて傾斜ガイド面が形成されており、トレイを後進させ遮蔽板がト
レイ開口部を通過した後に各傾斜状乗り上げ面を各踏み台に乗り上げさせてトレイをほぼ
水平状態で持ち上げ、前記遮蔽板によりトレイ開口部の上縁とトレイの前板部との間の隙
間を遮蔽するようにしたことを特徴とする光ディスク装置。
【請求項２】
ケーシング内に合成樹脂からなる機構部品とトレイとが配置され、そ
の機構部品の両側板部に設けた受台に左右一対のガイド部材が突設され、前記トレイの下
面両側縁に形成した一対のガイド溝をそれぞれ前記各ガイド部材に嵌合させることにより
、該トレイが機構部品に前後進可能に配置され、機構部品内のトレイの下方にドライブシ
ャーシが上下動可能に配置され、該ドライブシャーシにターンテーブルと光ピックアップ
とが配置されており、ケーシングのトレイ開口部を通って前進させたトレイ上にディスク
を載置した後、該トレイを後進させて機構部品内に収納し、ドライブシャーシを上動させ
てターンテーブルによりディスクを持ち上げ、該ターンテーブルにより高速回転させたデ
ィスクに記録されている情報を光ピックアップで読み取るようにしたディスクドライブに
おいて、トレイの上面前端に該トレイの前板部とほぼ平行し該前板部よりも若干高い遮蔽
板がそのトレイのほぼ全幅にわたって一体突設され、トレイを後進させ遮蔽板がトレイ開
口部を通過した後に該トレイを持ち上げて前記遮蔽板によりトレイ開口部の上縁とトレイ
の前板部との間の隙間を遮蔽するトレイ持ち上げ機構が設けられていることを特徴とする
光ディスク装置。
【請求項３】
前記トレイ持ち上げ機構が、前記受台の前後両端に一体突設されて各
ガイド部材を間に挟んで対向する前後４つの踏み台を有し、その各後側踏み台の高さがガ
イド部材の高さよりも大きく設定され、該各後側踏み台に対向して前記各ガイド溝の底面
後端角部を後進側に向かって斜め上向きに削除して傾斜状乗り上げ面が形成され、前記各
前側踏み台の高さがガイド部材の高さよりも小さく設定されると共に、該各前側踏み台に
対向して各ガイド溝の底面前端に脚部が一体突設され、その各脚部の後端部を後進側に向
かって斜め上向きに削除して傾斜状乗り上げ面が形成されており、トレイを後進させ遮蔽
板がトレイ開口部を通過した後に各傾斜状乗り上げ面を各踏み台に乗り上げさせてトレイ
をほぼ水平状態で持ち上げるようにしたことを特徴とする請求項２に記載の光ディスク装
置。
【請求項４】
前記各踏み台の前端面をそれに対向する傾斜状乗り上げ面とほぼ平行
に傾斜させて傾斜ガイド面が形成されていることを特徴とする請求項３に記載の光ディス
ク装置。
【発明の詳細な説明】
【技術分野】
【０００１】
本発明は、例えばＤＶＤ＋ＲＷなどのディスクの再生や記録または消去を行うための光
ディスク装置に関する。
【背景技術】
【０００２】
光ディスク装置の一例として図６〜図９に示すものがある。これは、ケーシング１内に
配置した合成樹脂からなるメインシャーシ（機構部品）２とトレイ３とを有し、前記メイ
ンシャーシ２が、左右一対の側板部４と、該両側板部４間に架設した横桁部５とからなり
、各側板部４の内側面に突設した受台６上に左右一対のガイド部材７が前後進ａ，ｂ方向
に沿って突設されている。また、トレイ３の下面両側縁に形成した一対の略Ｕ字状ガイド
溝８が前記各ガイド部材７に嵌合され、トレイ３の下面一方側縁近傍に前後進ａ，ｂ方向
に沿ってラック９が形成され、該ラック９に対向してメインシャーシ２の前側横桁部５に
ピニオン１０が設けられている。更に、メインシャーシ２内のトレイ３の下方にドライブ
シャーシ１１が上下動可能に配置され、該ドライブシャーシ１１にターンテーブル１２付
きスピンドルモータ１３と前後進ａ，ｂ方向に移動可能な光ピックアップ１４とが配置さ
れている。なお、１５は各側板部４に突設したトレイ浮き上がり防止片、１６は両側板部
４間に架設した天板部１７に一定範囲内昇降可能に係合させた磁石付きディスクホルダ、
Ｄはディスクである。
【０００３】
エジェクト操作を説明すると、トレイ３をメインシャーシ２内に収納している状態（図
６及び図７の実線参照）でエジェクト釦を押すと、その信号に基づいてラック９がピニオ
ン１０に噛合され、該ピニオン１０を正転駆動することによりラック９を介してトレイ３
がケーシング１のトレイ開口部１ａを通って前進ａされる（図６及び図７の仮想線参照）
。その最前進ａさせたトレイ３上にディスクＤを載置した後、エジェクト釦を押すと、そ
の信号に基づいてピニオン１０を逆転駆動することによりラック９を介してトレイ３が後
進ｂされてメインシャーシ２内に収納される（図６及び図７の実線参照）。続いて、ドラ
イブシャーシ１１を上動させることにより、ターンテーブル１２によりディスクＤを持ち
上げ、該ディスクＤがターンテーブル１２とディスクホルダ１６とで挟み付けられる。そ
の後、スピンドルモータ１３によりターンテーブル１２を介して高速回転させたディスク
Ｄに記録されている情報を光ピックアップ１４で読み取る。
【０００４】
近年、ディスク回転数の高速化が進むことにより、粗悪なディスクＤでは高速回転によ
り破損されるおそれがあり、その破損により細かく割れた破片がトレイ開口部１ａの上縁
とトレイ３の前板部１８との間の隙間αからケーシング１外に飛び出ることがあり、ユー
ザにとって極めて危険である。
【０００５】
そこで、従来、上記問題点を解消する技術として特許文献１に記載したものがある。こ
れは、図１０に示すように、天板部１７の前縁部１７ａを円弧状に前方に膨出させると共
に、該前縁部１７ａの下面からトレイ３側に突出する下向き突条１７ｂが一体突設される
と共に、トレイ３の上面のディスク載置用凹部３ａよりも前方に該凹部３ａに沿って弯曲
する上向き突条３ｂが一体突設され、該上向き突条３ｂと下向き突条１７ｂとの間の間隔
βをディスクＤの厚みｔよりも小さく設定しており、両突条３ｂ，１７ｂ間からディスク
Ｄが飛び出るのを阻止する。
【特許文献１】特開２００２−１３３８５２号公報
【発明の開示】
【発明が解決しようとする課題】
【０００６】
上記従来の構成では、両突条３ｂ，１７ｂが互いに干渉しないようにするために、上向
き突条３ｂを下向き突条１７ｂよりも外側にオフセットさせており、これでは、両突条３
ｂ，１７ｂ間に比較的大きい空隙ｍが生じているから、ディスクＤの破損により細かく割
れた破片がその空隙ｍを通過する可能性があり、この場合、トレイ開口部１ａの上縁とト
レイ３の前板部１８との間の隙間αが塞がれていないので、前記空隙ｍを通過した破片が
その隙間αを通ってケーシング１外に飛び出るおそれがある。
【０００７】
本発明は、上記従来の欠点に鑑み、ディスクの破損により細かく割れた破片がケーシン
グ外に飛び出ないようにした光ディスク装置を提供することを目的としている。
【課題を解決するための手段】
【０００８】
上記目的を達成するため、請求項１に記載の発明は、ケーシング内に合成樹脂からなる
機構部品とトレイとが配置され、その機構部品の両側板部に設けた受台に左右一対のガイ
ド部材が突設され、前記トレイの下面両側縁に形成した一対の略Ｕ字状ガイド溝をそれぞ
れ前記各ガイド部材に嵌合させることにより、該トレイが機構部品に前後進可能に配置さ
れ、機構部品内のトレイの下方にドライブシャーシが上下動可能に配置され、該ドライブ
シャーシにターンテーブルと光ピックアップとが配置されており、ケーシングのトレイ開
口部を通って前進させたトレイ上にディスクを載置した後、該トレイを後進させて機構部
品内に収納し、ドライブシャーシを上動させてターンテーブルによりディスクを持ち上げ
、該ターンテーブルにより高速回転させたディスクに記録されている情報を光ピックアッ
プで読み取るようにしたディスクドライブにおいて、トレイの上面前端に該トレイの前板
部とほぼ平行し該前板部よりも若干高い遮蔽板がそのトレイのほぼ全幅にわたって一体突
設され、トレイを後進させ遮蔽板がトレイ開口部を通過した後に該トレイを持ち上げるト
レイ持ち上げ機構が設けられ、該トレイ持ち上げ機構が、前記受台の前後両端に一体突設
されて各ガイド部材を間に挟んで対向する前後４つの踏み台を有し、その各後側踏み台の
高さがガイド部材の高さよりも大きく設定され、該各後側踏み台に対向して前記各ガイド
溝の底面後端角部を後進側に向かって斜め上向きに削除して傾斜状乗り上げ面が形成され
、前記各前側踏み台の高さがガイド部材の高さよりも小さく設定されると共に、該各前側
踏み台に対向して各ガイド溝の底面前端に脚部が一体突設され、その各脚部の後端部を後
進側に向かって斜め上向きに削除して傾斜状乗り上げ面が形成され、前記各踏み台の前端
面をそれに対向する傾斜状乗り上げ面とほぼ平行に傾斜させて傾斜ガイド面が形成されて
おり、トレイを後進させ遮蔽板がトレイ開口部を通過した後に各傾斜状乗り上げ面を各踏
み台に乗り上げさせてトレイをほぼ水平状態で持ち上げ、前記遮蔽板によりトレイ開口部
の上縁とトレイの前板部との間の隙間を遮蔽するようにしたことを特徴としている。
【０００９】
請求項２に記載の発明は、ケーシング内に合成樹脂からなる機構部品とトレイとが配置
され、その機構部品の両側板部に設けた受台に左右一対のガイド部材が突設され、前記ト
レイの下面両側縁に形成した一対のガイド溝をそれぞれ前記各ガイド部材に嵌合させるこ
とにより、該トレイが機構部品に前後進可能に配置され、機構部品内のトレイの下方にド
ライブシャーシが上下動可能に配置され、該ドライブシャーシにターンテーブルと光ピッ
クアップとが配置されており、ケーシングのトレイ開口部を通って前進させたトレイ上に
ディスクを載置した後、該トレイを後進させて機構部品内に収納し、ドライブシャーシを
上動させてターンテーブルによりディスクを持ち上げ、該ターンテーブルにより高速回転
させたディスクに記録されている情報を光ピックアップで読み取るようにしたディスクド
ライブにおいて、トレイの上面前端に該トレイの前板部とほぼ平行し該前板部よりも若干
高い遮蔽板がそのトレイのほぼ全幅にわたって一体突設され、トレイを後進させ遮蔽板が
トレイ開口部を通過した後に該トレイを持ち上げて前記遮蔽板によりトレイ開口部の上縁
とトレイの前板部との間の隙間を遮蔽するトレイ持ち上げ機構が設けられていることを特
徴としている。
【００１０】
請求項３に記載の発明は、請求項２に記載の発明において、前記トレイ持ち上げ機構が
、前記受台の前後両端に一体突設されて各ガイド部材を間に挟んで対向する前後４つの踏
み台を有し、その各後側踏み台の高さがガイド部材の高さよりも大きく設定され、該各後
側踏み台に対向して前記各ガイド溝の底面後端角部を後進側に向かって斜め上向きに削除
して傾斜状乗り上げ面が形成され、前記各前側踏み台の高さがガイド部材の高さよりも小
さく設定されると共に、該各前側踏み台に対向して各ガイド溝の底面前端に脚部が一体突
設され、その各脚部の後端部を後進側に向かって斜め上向きに削除して傾斜状乗り上げ面
が形成されており、トレイを後進させ遮蔽板がトレイ開口部を通過した後に各傾斜状乗り
上げ面を各踏み台に乗り上げさせてトレイをほぼ水平状態で持ち上げるようにしたことを
特徴としている。
【００１１】
請求項４に記載の発明は、請求項３に記載の発明において、前記各踏み台の前端面をそ
れに対向する傾斜状乗り上げ面とほぼ平行に傾斜させて傾斜ガイド面が形成されているこ
とを特徴としている。
【発明の効果】
【００１２】
請求項１に記載の発明は実施の一形態（図１〜図５参照）に対応するものであって、こ
れによれば、トレイを後進させ該トレイの上面前端に一体突設した遮蔽板がトレイ開口部
を通過した後、そのトレイをトレイ持ち上げ機構によりほぼ平行状態で持ち上げるだけで
、前記遮蔽板によりトレイ開口部の上縁とトレイの前板部との間の隙間が遮蔽されるので
、その隙間からディスクの破損により細かく割れた破片がケーシング外に飛び出るおそれ
がなく、ユーザにとって安全性が高く、ディスクの高速化に対応することができる。
【００１３】
また、トレイ持ち上げ機構が、受台に一体突設した前後４つの踏み台と、トレイ側に形
成した前後４つの傾斜状乗り上げ面とを有し、その各傾斜状乗り上げ面を各踏み台に乗り
上げさせることにより、トレイをほぼ水平状態で持ち上げるようになっており、その持ち
上げ作業をトレイの後進動作を利用して自動的に行うから、操作性に優れていると共に、
部品点数が増加せず、構造が簡単で経済的である。
【００１４】
更に、各傾斜状乗り上げ面に対向して各踏み台にそれとほぼ平行する傾斜ガイド面が形
成されているから、該各傾斜ガイド面に沿ってトレイを円滑に持ち上げることができる。
【００１５】
請求項２に記載の発明は基本形態を示すものであって、これによれば、後進させたトレ
イの上面前端に一体突設した遮蔽板がトレイ開口部を通過した後、該トレイをトレイ持ち
上げ機構によりほぼ平行状態で持ち上げるだけで、前記遮蔽板によりトレイ開口部の上縁
とトレイの前板部との間の隙間が遮蔽されるので、その隙間からディスクの破損により細
かく割れた破片がケーシング外に飛び出るおそれがなく、ユーザにとって安全性が高く、
ディスクの高速化に対応することができる。
【００１６】
請求項３に記載の発明によれば、トレイ持ち上げ機構が、受台に一体突設した前後４つ
の踏み台と、トレイ側に形成した前後４つの傾斜状乗り上げ面とを有し、その各傾斜状乗
り上げ面を各踏み台に乗り上げさせることにより、トレイをほぼ水平状態で持ち上げるよ
うになっており、その持ち上げ作業をトレイの後進動作を利用して自動的に行うことがで
きると共に、部品点数が増加せず、構造が簡単で経済的である。
【００１７】
請求項４に記載の発明によれば、各傾斜状乗り上げ面に対向して各踏み台にそれとほぼ
平行する傾斜ガイド面が形成されているから、該各傾斜ガイド面に沿ってトレイを円滑に
持ち上げることができる。
【発明を実施するための最良の形態】
【００１８】
図１〜図５は本発明の実施の一形態である光ディスク装置を示すものであって、トレイ
３の上面前端に該トレイ３の前板部１８とほぼ平行し該前板部１８よりも所定間隔ｋ（例
えば０．５〜２ｍｍ）だけ高い遮蔽板２０がそのトレイ３のほぼ全幅にわたって一体突設
され、トレイ３を後進ｂさせ遮蔽板２０がトレイ開口部１ａを通過した後に該トレイ３を
持ち上げるトレイ持ち上げ機構２１が設けられている。上記以外の構成は図６〜図９に示
す構成とほぼ同じであるから、同一部分に同一符号を付してその説明を省略する。
【００１９】
前記トレイ持ち上げ機構２１は、受台６の前後両端に一体突設されて各ガイド部材７を
間に挟んで対向する前後４つの踏み台２１ａ，２１ｂを有し、その各後側踏み台２１ａの
高さｈ１がガイド部材７の高さｈ２よりも大きく設定され、該各後側踏み台２１ａに対向
して各ガイド溝８の底面後端角部を後進側に向かって斜め上向きに削除して傾斜状乗り上
げ面２３が形成され、前記各前側踏み台２１ｂの高さｈ３がガイド部材７の高さｈ２より
も小さく設定されると共に、該各前側踏み台２１ｂに対向して各ガイド溝８の底面前端に
脚部２４が一体突設され、その各脚部２４の後端部を後進側に向かって斜め上向きに削除
して傾斜状乗り上げ面２６が形成され、前記各踏み台２１ａ，２１ｂの前端面をそれに対
向する傾斜状乗り上げ面２３，２６とほぼ平行に傾斜させて傾斜ガイド面２２，２５が形
成されている。
【００２０】
エジェクト操作を説明すると、トレイ３をメインシャーシ（機構部品）２内に収納して
いる状態（図１実線参照）でエジェクト釦を押すと、その信号に基づいてラック９がピニ
オン１０に噛合され、該ピニオン１０を正転駆動することによりラック９を介してトレイ
３がケーシング１のトレイ開口部１ａを通って前進ａされる（図１仮想線参照）。その最
前進ａさせたトレイ３上にディスクＤを載置した後、エジェクト釦を押すと、その信号に
基づいてピニオン１０を逆転駆動することによりラック９を介してトレイ３が後進ｂされ
、図２（ａ）の実線及び図５（ａ）に示すように、遮蔽板２０がトレイ開口部１ａを通過
することにより、各傾斜状乗り上げ面２３，２６が各傾斜ガイド面２２，２５に当接する
ことにより、該各傾斜ガイド面２２，２５に沿って各傾斜状乗り上げ面２３，２６を各踏
み台２１ａ，２１ｂに乗り上げさせ、トレイ３をほぼ水平状態で所定幅ｒ（例えば０．５
〜２ｍｍ）だけ持ち上げ、図２（ｂ）及び図５（ｂ）に示すように、遮蔽板２０の上縁を
トレイ開口部１ａの上縁よりも所定幅ｓ（例えば０．５ｍｍ）だけオーバラップさせて、
その遮蔽板２０によりトレイ開口部１ａの上縁とトレイ３の前板部１８との間の隙間αを
遮蔽する。
【００２１】
続いて、ドライブシャーシ１１を上動させることにより、ターンテーブル１２によりデ
ィスクＤを持ち上げ、該ディスクＤがターンテーブル１２とディスクホルダ１６とで挟み
付けられ、スピンドルモータ１３によりターンテーブル１２を介して高速回転させたディ
スクＤに記録されている情報を光ピックアップ１４で読み取り、その高速回転の際に、デ
ィスクＤの破損により細かく割れた破片がトレイ開口部１ａの隙間αに向けて飛び出して
も、その破片が遮蔽板２０に当たってケーシング１外に飛び出すことがない。
【００２２】
上記構成によれば、トレイ３を後進ｂさせ該トレイ３の上面前端に一体突設した遮蔽板
２０がトレイ開口部１ａを通過した後、そのトレイ３をトレイ持ち上げ機構２１によりほ
ぼ平行状態で持ち上げるだけで、前記遮蔽板２０によりトレイ開口部１ａの上縁とトレイ
３の前板部１８との間の隙間αが遮蔽されるので、その隙間αからディスクＤの破損によ
り細かく割れた破片がケーシング１外に飛び出るおそれがなく、ユーザにとって安全性が
高く、ディスクＤの高速化に対応することができる。
【００２３】
また、トレイ持ち上げ機構２１が、受台６に一体突設した前後４つの踏み台２１ａ，２
１ｂと、トレイ３側に形成した前後４つの傾斜状乗り上げ面２３，２６とを有し、その各
傾斜状乗り上げ面２３，２６を各踏み台２１ａ，２１ｂに乗り上げさせることにより、ト
レイ３をほぼ水平状態で持ち上げるようになっており、その持ち上げ作業をトレイ３の後
進ｂ動作を利用して自動的に行うから、操作性に優れていると共に、部品点数が増加せず
、構造が簡単で経済的である。
【００２４】
更に、各傾斜状乗り上げ面２３，２６に対向して各踏み台２１ａ，２１ｂにそれとほぼ
平行する傾斜ガイド面２２，２５が形成されているから、該各傾斜ガイド面２２，２５に
沿ってトレイ３を円滑に持ち上げることができる。
【図面の簡単な説明】
【００２５】
【図１】本発明の実施の一形態である光ディスク装置の水平断面図である。
【図２】（ａ）はトレイ持ち上げ前の縦断面図、（ｂ）はトレイ持ち上げ状態の縦断面図（断面線は図１のＡ−Ａ線に沿う）。
【図３】同トレイの斜視図である。
【図４】同機構部品の斜視図である。
【図５】（ａ）はトレイ持ち上げ前の要部拡大縦断面図、（ｂ）はトレイ持ち上げ状態の要部拡大縦断面図、（ｃ）はＢ−Ｂ矢視図、（ｄ）はＣ−Ｃ矢視図である。
【図６】光ディスク装置の一例を示す水平断面図である。
【図７】図６のＥ−Ｅ矢視図である。
【図８】図６のＦ−Ｆ矢視図である。
【図９】同機構部品の斜視図である。
【図１０】（ａ）は従来例を示す斜視図、（ｂ）は同要部の拡大縦断面図である。
【符号の説明】
【００２６】
１          ケーシング
１ａ        トレイ開口部
２          メインシャーシ（機構部品）
３          トレイ
６          受台
７          ガイド部材
８          ガイド溝
１１        ドライブシャーシ
１２        ターンテーブル
１４        光ピックアップ
１８        トレイの前板部
２０        遮蔽板
２１        トレイ持ち上げ機構
２１ａ      後側踏み台
２１ｂ      前側踏み台
２２        後側踏み台の傾斜ガイド面
２３        傾斜状乗り上げ面
２４        脚部
２５        前側踏み台の傾斜ガイド面
２６        傾斜状乗り上げ面
Ｄ          ディスク
ｈ１        後側踏み台の高さ
ｈ２        ガイド部材の高さ
ｈ３        前側踏み台の高さ
ａ，ｂ      前後進
α          トレイ開口部の上縁とトレイの前板部との間の隙間
【図１】
2005317085.tif 000003
【図２】
2005317085.tif 000004
【図３】
2005317085.tif 000005
【図４】
2005317085.tif 000006
【図５】
2005317085.tif 000007
【図６】
2005317085.tif 000008
【図７】
2005317085.tif 000009
【図８】
2005317085.tif 000010
【図９】
2005317085.tif 000011
【図１０】
2005317085.tif 000012